(57)【特許請求の範囲】
【請求項１】
それぞれ異なる方向へ延びる二以上のフレーム部材に対する接続機能を有するものであって、各フレーム部材の端面に当接する支持面と、各フレーム部材をその長手方向へ相対的に引き寄せてフレーム部材の端面と前記支持面とを押し当てる引き寄せ手段とを具備し、
さらに、内部を空洞部とするベース本体と、枠構造体を構成しその側端部に配置されるフレーム部材たる縦枠材を支持する縦枠材取付部と、枠構造体を構成し上下の端部に配置されるフレーム部材たる横枠材を支持する横枠材取付部とを一体に具備してなり、
前記縦枠材取付部が、前記ベース本体から外側方に偏位する位置に形成され、前記縦枠材の端面に当接し且つ前記支持面として機能する上面を有する上壁と、当該上壁の厚み方向に貫通させたボルト挿通孔とを備えたものであり、
前記横枠材取付部が、前記横枠材の端面に当接し且つ前記支持面として機能する内向面を有する周壁と、当該周壁の厚み方向に貫通させたボルト挿通孔とを備えたものであり、
前記空洞部側から前記各ボルト挿通孔にそれぞれ差し込んだ前記引き寄せ手段を構成するボルトを前記縦枠材及び横枠材に設けた各ナットに締着することにより、ねじ作用によって前記縦枠材及び前記横枠材をその長手方向へ相対的に引き寄せて前記縦枠材及び前記横枠材の各端面が前記縦枠材取付部の上面及び前記横枠材取付部の内向面に押し付けられるようにしたことを特徴とするフレーム部材接続装置。
【請求項２】
前記支持面を、フレーム部材の端面における少なくとも外周に対応して形成していることを特徴とする請求項１記載のフレーム部材接続装置。
【請求項３】
前記引き寄せ手段を、外部から隠蔽される位置に形成していることを特徴とする請求項１又は２記載のフレーム部材接続装置。
【請求項４】
引き寄せ手段が、フレーム部材の長手方向と合致する姿勢で設けられフレーム部材の一部と係合するねじ部材を具備していることを特徴とする請求項１、２又は３記載のフレーム部材接続装置。
【請求項５】
支持面に、フレーム部材の配置位置を規定する位置決め部を形成していることを特徴とする請求項１、２、３又は４記載のフレーム部材接続装置。
【請求項６】
位置決め部を、フレーム部材の端面と凹凸係合により嵌合し得るものとしていることを特徴とする請求項５記載のフレーム部材接続装置。
【請求項７】
フレーム部材への接続機能以外に、前記フレーム部材を構成要素として具備する家具本体の脚部としての機能をも有していることを特徴とする請求項１、２、３、４、５又は６記載のフレーム部材接続装置。
【請求項８】
前記縦枠材の下端部と枠構造体の下端部に配置される横枠材の側端部との間に介在し床面に接地して枠構造体の脚部としての機能を有するものであって、接地部を有する前記ベース本体と前記縦枠材取付部と横枠材取付部とを一体に有していることを特徴とする請求項７記載のフレーム部材接続装置。
【発明の詳細な説明】
【０００１】
【発明の属する技術分野】
本発明は、複数の異なる方向に延びるフレーム部材を好適に接続することができるフレーム部材接続装置に関するものである。
【０００２】
【従来の技術】
複数の異なる方向へ延びるフレーム部材を接続するための構造が従前より種々考えられている。従来のフレーム部材の接続方法では、一のフレーム部材の端面を他のフレーム部材の長手方向に延びる面の一部に対面させたうえでそれらフレーム部材同士の間に金具を設けたり、フレーム部材同士の間に介在させたコーナー部材にそれらフレーム部材の端面を対面させるなどして、金具とフレーム部材あるいはコーナー部材とフレーム部材とをねじ部材等によりフレーム部材の長手方向と直交する方向に固定するようにしたものが通例である。
【０００３】
【発明が解決しようとする課題】
ところが、フレーム部材に対してその長手方向と直交し且つ接続用のねじ部材の軸と直交する方向に外力が加わった場合、フレーム部材同士を金具やコーナー部材を介して接続しているねじ部材がその外力による曲げの力を受けることになる。しかしながら、ねじ部材は一般にそのような曲げの力に対して極めて脆弱なため、フレーム部材の接続構造そのものの強度は弱いものとならざるを得ず、特に上述のような外力が生じると、フレーム部材同士の接続部位に捻れや歪みが発生することになる。このような不具合を解消するために、フレーム部材接続用の金具やコーナー部材に頑強なものを適用すると、重量化や高コスト化等の別の問題が生じることになる。
【０００４】
そこで本発明は、以上のような問題を解消し、簡素な構造で異なる方向に延びる複数のフレーム部材を強度よく接続することができる接続装置を提供しようとするものである。
【０００５】
【課題を解決するための手段】
すなわち、本発明のフレーム部材接続装置は、それぞれ異なる方向へ延びる二以上の各フレーム部材の端面に当接する支持面と、各フレーム部材をその長手方向へ相対的に引き寄せてフレーム部材の端面と前記支持面とを押し当てる引き寄せ手段とを備え、複数のフレーム部材に対する接続機能を有し、さらに、内部を空洞部とするベース本体と、枠構造体を構成しその側端部に配置されるフレーム部材たる縦枠材を支持する縦枠材取付部と、枠構造体を構成し上下の端部に配置されるフレーム部材たる横枠材を支持する横枠材取付部とを一体に具備してなり、前記縦枠材取付部が、前記ベース本体から外側方に偏位する位置に形成され、前記縦枠材の端面に当接し且つ前記支持面として機能する上面を有する上壁と、当該上壁の厚み方向に貫通させたボルト挿通孔とを備えたものであり、前記横枠材取付部が、前記横枠材の端面に当接し且つ前記支持面として機能する内向面を有する周壁と、当該周壁の厚み方向に貫通させたボルト挿通孔とを備えたものであり、前記空洞部側から前記各ボルト挿通孔にそれぞれ差し込んだ前記引き寄せ手段を構成するボルトを前記縦枠材及び横枠材に設けた各ナットに締着することにより、ねじ作用によって前記縦枠材及び前記横枠材をその長手方向へ相対的に引き寄せて前記縦枠材及び前記横枠材の各端面が前記縦枠材取付部の上面及び前記横枠材取付部の内向面に押し付けられるようにしていることを特徴としている。
【０００６】
このような構成のものであれば、引き寄せ手段によって長手方向へ引き寄せられたフレーム部材の端面がこのフレーム部材接続装置の支持面に押し付けられることになるため、フレーム部材にその長手方向と直交する方向へ外力が加わった場合、その外力による曲げ方向の荷重フレームの端面と接する支持面が受けることになり、引き寄せ手段にはその力が殆ど作用せず寧ろ引き寄せ手段が最もその効力を発揮する引っ張りの力が作用する。そのため、引き寄せ手段としてはフレーム部材をその長手方向へ引っ張る機能を有するものであれば極めて簡素な構成であっても、フレーム部材に対する極めて強固な接合状態を実現することができる。
【０００７】
支持面において応力を的確に受け止め、フレーム部材に対する支持強度の向上を図るためには、支持面を、フレーム部材の端面の外周に対応させて形成することが望ましい。
【０００８】
また、簡素な接続構造であっても外観を良好に維持するには、このフレーム部材接続装置において引き寄せ手段を外部から隠蔽される位置に形成することが好ましい。
【０００９】
具体的に極めて簡素且つ有用な引き寄せ手段には、フレーム部材の長手方向と合致する姿勢で設けられるねじ部材を挙げることができる。
【００１０】
さらに、このフレーム部材接続装置に対するフレーム部材の配置位置を容易に決定し得るようにするためには、支持面に位置決め部を形成することによりフレーム部材の位置決めを図るようにするとよい。具体的に簡単な構成の位置決め部としては、支持面においてフレーム部材の端面と凹凸係合により嵌合し得る構成のものが挙げられる。またこのような位置決め部の存在により、フレーム部材に対する接続強度をさらに向上することもできる。
【００１１】
また、フレーム部材接続装置にフレーム部材への接続機能以外の他の機能を付与することで、このフレーム部材接続装置がフレーム部材を接続する機能を含む二以上の多機能なものとなり、必要とされる他の機能を奏する別部材を用いる必要がないため、部品点数を削減しコストを低減することができる。
【００１２】
具体的には、フレーム部材を構成要素として具備する家具本体における脚部としての機能が挙げられる。
【００１３】
以上のようなフレーム部材接続装置の具体的に好ましい適用例としては、フレーム部材が枠構造体を構成しその側端部に配置される縦枠材及び上下の端部に配置される横枠材である場合、その枠構造体における縦枠材と横枠材を接続するために、それら縦枠材及び横枠材の端面に当接する支持面をそれぞれ有する縦枠材取付部及び横枠材取付部を具備し、これら縦枠材取付部及び横枠材取付部にそれぞれ引き寄せ手段を設けた構成のものが挙げられる。このような枠構造体においては、フレーム部材である縦枠材と横枠材とは相互に直交する姿勢でそれぞれ配置されるものである。
【００１４】
このような枠構造体において用いられるフレーム部材接続装置において、縦枠材と横枠材とを高い支持強度で接続し得る好ましい具体的態様としては、縦枠材の下端部と枠構造体の下端部に配置される横枠材の側端部との間に介在し床面に接地して枠構造体の脚部としての機能を有し、接地部を有するベース本体と前記縦枠材取付部と横枠材取付部とを一体に備えた構成のものが挙げられる。
【００１５】
【発明の実施の形態】
以下、本発明の一実施形態を、図面を参照して説明する。
【００１６】
図１に斜視図を、図２に底面図をそれぞれ示す本実施形態は、枠構造体Ａの脚部たる脚ベース１として適用したフレーム部材接続装置である。この脚ベース１であって、枠構造体本体５をその両側端部においてそれぞれ二箇所で床面に接地して支持するようにしたものである。
【００１７】
これら脚ベース１は、いずれも床面に接地する接地部を備えたベース本体２と、枠構造体本体５の構成要素であるフレーム部材たる支柱６及び下枠材７をそれぞれ支持する縦枠材取付部３及び横枠材取付部たる下枠材取付部４を一体成形したアルミダイカスト製部材である。
【００１８】
まず、図１〜図６に示すようにベース本体２は、一箇所に基端部２１ａを集合させ先端部２１ｂを相反する方向へ延ばした同一形状をなす一対のベース要素２１を備えている。これらベース要素２１は、連続して設けられる上壁２１１、外側壁２１２、内側壁２１３、及び先端壁２１４を有し、これら各壁によって包囲される内部を空洞部２１５として先端部２１ｂを除き底面側を下方に開口させている。そして、一対のベース要素２１は、図２及び図６に示すように、基端部２１ａの底面側において空洞部２１５を連続させている。また、図２、図５及び図６に示すように両ベース要素２１の上壁２１１を、基端部２１ａから先端部２１ｂに向けて漸次低くなるように傾斜する形状としている。さらに、これらベース要素２１の中実な先端部２１ｂにおける底面側には、それぞれ接地部たるアジャスタ２２を下方から取り付けている。また、ベース本体２の長手方向中央部となる各ベース要素２１の基端部２１ａにおいて、それらの上壁２１１及び外側壁２１２を外側方へ突出させて、前記支柱６を支持する縦枠材取付部３を形成している。また、ベース要素２１の基端部２１ａには、前記縦枠材取付部３とは反対方向すなわち内側方に向けて上壁２１１及び内側壁２１３を部分的に突出させることによって、後述する枠構造体本体５の構成要素である下枠材７を一対の脚ベース１間に取り付けるための下枠材取付部４を形成している。なお、ベース要素２１の空洞部２１５は、これら縦枠材取付部３及び下枠材取付部４の底面側にも連続させている。
【００１９】
縦枠材取付部３は、ベース本体２から外側方へ偏位する位置に形成されたものであり、具体的にはベース要素２１の上壁２１１及び外側壁２１２をそれぞれ連続的に外側方へ突出させた上壁３１及び周壁３２を有する平面視概略小判形をなしている。この上壁３１には、その上面から上方へ平面視凸形をなして突出し支柱６の位置決め部となる突部３３を形成している。また、その突部３３を挟む２箇所に、上壁３１を上下に貫通させたボルト挿通孔３４を対に設けている。
【００２０】
下枠材取付部４は、ベース要素２１の上壁２１１及び内側壁２１３をそれぞれ連続的に内側方へ突出させた上壁４１及び内向面を有する周壁４２を有する内側面視概略正方形状をなすものである。周壁４２には、下枠材７１の位置決め部として機能させるために、さらに内側方へ突出させた内側面視略正方形状をなす突起部４３を形成している。そして、この突起部４３を含む周壁４２の厚みを貫通させて、上下に対をなすボルト挿通孔４４を形成している。
【００２１】
一方、枠構造体本体５は、図１に示すように、脚ベース１に設けられた前記縦枠材取付部３にそれぞれ支持される被支持体たる一対の支柱６と、前記下枠材取付部４間に亘って取り付けられる下枠材７と、支柱６の上端部間に亘って設けられる上枠材８とからなる矩形状の枠構造を有するものである。
【００２２】
まず支柱６は、図３に示すように、上下方向に延びる横断面視コ字形をなすスチール製チャネル状の内フレーム要素６１と、内フレーム要素６１の前後両壁６１１、６１２を外側から抱く姿勢で配置されるアルミ押出成形材である外フレーム要素６２とから構成される。内フレーム要素６１の前壁６１１及び後壁６１２とそれらの内側端部を前後方向に連結する側壁６１３とには、それぞれに形成した複数のフック孔ｈを利用して、例えば棚板やパネル板等のオプション部材又はオプション部材取付用のブラケット等（図示省略）を取り付けられるようにしている。一方、外フレーム要素６２は、前記脚ベース１の縦枠材取付部３と同様の平面視小判形をなす中空部材であって、外側壁６２１と内側壁６２２の前後両端部を平面視半円形状をなす湾曲壁６２３によってそれぞれ連続させている。内側壁６２２の奥行き方向中央部には、前記内フレーム要素６１の前後両壁６１１、６１２を前後方向に挟み込み且つそれらの幅寸法の大半を飲み込み得るように、上下方向に延びる平面視コ字形の溝部６２２ａを形成している。また、この溝部６２２ａの奥行き方向中央部には、内フレーム要素６１側へ突出させた突条部６２２ｂを形成しており、この突条部６２２ｂを内フレーム要素６１の側壁６１３における内面側に突き当てた状態で、それらを図１に示すようにビス６３により上下複数箇所で固定するようにしている。さらに、外側壁６２１と内側壁６２２との間にはそれらと直交する姿勢で前後方向に対をなす隔壁６２４を設けている。そして、外側壁６２１と、内側壁６２２における奥行き方向中央部と、両隔壁６２４とによって包囲され上下に貫通する凹部６２５内に、脚ベース１の縦枠材取付部３における突部３３を下方から挿入することによって両者を凹凸係合させて、支柱６を縦枠材取付部３に支持させるようにしている。また、隔壁６２４において突部３３に形成したボルト挿通孔３４に対応する位置には、それぞれ平面視Ｃ字形をなして上下に延びる筒状部６２４ａを形成しており、この筒状部６２４ａの内周面にねじ孔６２４ｂを設けている。なお、外側壁６２１の奥行き方向中央部には、デザイン向上のために浅い溝６２１ａを形成しており、前記縦枠材取付部３の突部３３における外側面にこの溝６２１ａに対応してそれを受け入れられるようにした溝３３ａを形成している。また、支柱６の上端部にはキャップ部材６４（図１参照）を設けて外観の向上を図っている。
【００２３】
下枠材７は、脚ベース１の下枠材取付部４における周壁４２の内側面視形状に略対応する太さの角パイプ材からなるものであり、その内部に側方から前記下枠材取付部４の突起部４３を挿入させることによって両者を凹凸係合させて位置決めを図り、両脚ベース１に支持されるようにしている。また、下枠材７の両側端部における内部には、前記突起部４３の挿入端と接する位置に、内向面側に上下に対をなすナット７２を溶接して設けた矩形板状のナット板７１を設けている。このナット板７１において各ナット７２の位置は、前記下枠材取付部４の周壁４２における一対のボルト挿通孔４４の形性箇所に対応させてある。
【００２４】
上枠材８は角パイプ材からなり、支柱６を構成する内フレーム要素６１の上端部に内向に突出させて形成した図示しない突起をそれぞれ両端部側に挿入させた姿勢で、それら支柱６の上端部間に架け渡して設けられるものである。この上枠材８とそれに挿入される突起とは、図示しないボルト等により固定される。
【００２５】
ここで、以上のような構成の枠構造体Ａの組み立て方法について説明する。まず、両脚ベース１の下枠材取付部４における突起部４３を下枠材７の両端部に嵌合して位置決めを行い、その状態で、下枠材７を脚ベース１側へ引き寄せる引き寄せ手段を構成するねじ部材たるボルト４５を、ベース本体２の空洞部２１５側からボルト挿通孔４４に差し込んで、前記ナット板７１のナット７２にそれぞれ締着する。このようにすることで、下枠材７１がボルト４５とナット７２との間に生じるねじ作用により下枠材取付部４へ引き寄せられ、下枠材７１の外周を構成する側端面７ａが下枠材取付部４の内側壁４２における内向面４２ａに押し付けられて密着することになり、脚ベース１に下枠材７１が高強度で取り付けられる。すなわち、下枠材取付部４の内向面４２ａは、引き寄せられた下枠材の側端面７ａを支持する支持面としての役割を担っている。
【００２６】
その一方、支柱６と上枠材８とを予め門形に組み立てておき、その状態で、支柱６の凹部６２５における下端部に脚ベース１の縦枠材取付部３における突部３３を嵌合して位置決めを行う。そのうえで、外フレーム要素６２を脚ベース１側へ引き寄せる引き寄せ手段を構成するねじ部材たるボルト３５を、脚ベース１の空洞部２１５側からボルト挿通孔３４に差し込んで、支柱６の筒状部６２４ａのねじ孔６２４ｂにそれぞれ締着する。このようにすることで、支柱６がボルト３５とねじ孔６２４ｂとの間に生じるねじ作用により縦枠材取付部３へ引き寄せられ、支柱６の外フレーム要素６２の外周を構成する下端面６２ａが縦枠材取付部３の上壁３１における上面３１ａに押し付けられて密着することになり、脚ベース１に支柱６が高強度で取り付けられる。すなわち、縦枠材取付部３の上面３１ａは、引き寄せられた外フレーム材６２の下端面６２ａを支持する支持面としての機能を奏している。またそれと同時に、内フレーム材６１の下端面６１ａも前記上面３１ａに押し付けられて密着することにある。なお、筒状部６２４ａの内周面はねじ孔６２４ｂの代わりにタップ孔としておき、ボルト３５をタップ孔に雌ねじを切りながらねじ込むようにすることもできる。
【００２７】
以上のように、本実施形態は、フレーム部材接続装置を枠構造体Ａの脚部としての機能を有する脚ベース１に適用し、この脚ベースに枠構造体を構成するフレーム部材たる縦枠材及び横枠材である支柱６及び下枠材７を同時に接続するようにしたものである。そして、支柱６及び下枠材７の接続に際して、それらを脚ベース１側へ引き寄せる引き寄せ手段として単純なねじ部材であるボルト３５、４５を適用し、引き寄せられた支柱６の下端面６２ａ、６１ａが押し付けられる支持面たる上面３１ａを縦枠材取付部３に形成するとともに、下枠材７の側端面７ａが押し付けられる支持面たる内向面４２ａを下枠材取付部４に形成している。したがって、支柱６や下枠材７は、極めて高い強度でそれぞれ脚ベース１に接続されることになる。すなわち、例えば図４に示すように、支柱６に対して側方から外力（同図における矢印ａ）が加わった場合、その外力は外フレーム材６２の下端面６２ａを通じて縦枠材取付部３の上面３１ａに上方から垂直に作用する（同矢印ｂ）。その一方、ボルト３５にはそのねじ軸の軸心方向へ引っ張る力（同矢印ｃ）が作用するので、ボルト３５はその本来の機能を最大限に発揮する。したがって、突部３３と凹部６２５との凹凸係合状態とも相俟って、支柱６に対する好適な接続状態が得られ、このような外力に対して極めて高い強度で抗し得るることになる。また、下枠材７に上方から外力（同矢印ｄ）が加わった場合は、その外力が下枠材７の側端面７ａを通じて下枠材取付部４の内向面４２ａに側方から垂直に作用する（同矢印ｅ）。その一方、ボルト３５にはその本来の機能を最大限に発揮し得るねじ軸の軸心方向へ引っ張る力（同矢印ｆ）が作用する。したがって、突起部４３と下枠材７の中空の側端部との凹凸係合関係とも相俟って、下枠材７に加わる外力に対して極めて高強度で抗し得る優れた接続状態が得られることになる。
【００２８】
また、縦枠材取付部３及び下枠材取付部４は、ベース本体２と共に一体形成されて一つの脚ベース１を構成しているものであるため、支柱６及び下枠材７の接続装置と脚ベースに該当する部材とを別個に製造する必要がなく、部品点数の削減やコストの低減を図るとともに、支柱６及び下枠材７に対する極めて高い接続強度を有するものとすることができる。
【００２９】
また、引き寄せ手段であるボルト３５、４５は、共に脚ベース１の底面側に形成される空洞部２１５から装着するようにしているため外部から好適に隠しておくことができるので、ボルト３５、４５やそれによる支柱６及び下枠材７の接続箇所を外部に見せることなく、外観を良好に保つことができる。
【００３０】
さらに、脚ベース１におけるベース本体２から外側方へ突出しそのベース本体２と一体形成された縦枠材取付部３によって、枠構造体本体５の支柱６を支持するようにしている。そのため、縦枠材取付部３がベース本体２から偏位する位置に設けられているにも拘わらず、剛性の高い一体成形品である脚ベース１によって支柱６を支持することができるので、支柱６の支持強度の低下を招くことがない。また、このような脚ベース１が適用された枠構造体Ａでは支柱６の直下にベース本体２が存在しないにも拘わらず、ベース本体２、縦枠材取付部３及び下枠材取付部４の一体化によって、様々な方向へ力が作用する下端部側のコーナー部分において捻れや歪みを生じさせることなく高い剛性を維持することができ、枠構造体Ａ全体の剛性を高めることが可能である。そして、枠構造体本体５の側端部よりも内寄りの位置に脚ベース１を配置していることから、例えば図７に示すように、この枠構造体Ａをその幅寸法と略同一の幅寸法を有する机Ｔの反使用端側に配置した場合、机Ｔの脚体Ｔ２が天板Ｔ１の側端部を支持する構成であっても、その脚体Ｔ２と枠構造体Ａの脚ベース１におけるベース本体２とが干渉しない態様で両者を配置することができる。
【００３１】
なお、上記実施形態やその変形例において、枠構造体本体を構成する上枠材の支柱への取付構造を、下枠材の脚ベースへの取付構造と同様の構成とすることもできる。
【００３５】
また、上記実施形態において、ベース本体２は一直線状に延びる２つのベース要素２１を有するものであるが、例えば変形例として図８に示す枠構造体Ａ’のように、ベース本体１２０が枠構造体Ａ’の前方にのみ延びるベース要素１２１を一つだけ有し、その基端部１２１ａに支柱６を支持する縦枠材取付部１３０を一体に外側方へ突出させた構成とすることもできる。下枠材取付部１４０も同様に、ベース本体１２０の基端部１２１ａに内側方へ突出させて設けられる。このように単一のベース要素１２１からなるベース本体の場合は、その基端部１２１ａ及び先端部１２１ｂのそれぞれに接地部としてアジャスタ１２２等を設けておくとよい。このような枠構造体Ａ’は、後方への倒れ力には弱いため、建築物の壁面に沿って配置するのに適している。
【００３６】
さらに、本発明のフレーム部材接続装置は、上述のような枠構造体以外にも、机やテーブル、収納棚等の種々の家具類や、家具以外にも２本以上のフレーム部材を異なる方向へ接続することが必要な物に適用することが可能である。その他、各部の具体的構成についても上記実施形態に限られるものではなく、本発明の趣旨を逸脱しない範囲で種々変形することができる。
【００３７】
【発明の効果】
以上詳述したように本発明に係るフレーム部材接続装置は、それぞれ異なる方向へ延びる複数の各フレーム部材の端面に支持面を当接させ、且つ引き寄せ手段によって各フレーム部材を長手方向へ引き寄せて、フレーム部材の端面と前記支持面とを押し当てるようにしたものである。
【００３８】
したがって、各フレーム部材は、それぞれの端面が本フレーム部材接続装置にの支持面に押し付けられた状態で接続されていることから、フレーム部材に加わった長手方向と直交する方向への外力は前記支持面が受けることになり、面同士の接合に基づいたフレーム部材に対する極めて強固な接続状態を実現することができる。そのため曲げ方向の力が殆ど作用しない引き寄せ手段については、その力に対抗し得る構成を考慮せずともフレーム部材を長手方向へ引き寄せる機能を有するものでさえあればよいことになり、引き寄せ手段として極めて簡単な構成のものを適用することが可能となる。
【図面の簡単な説明】
【図１】本発明の一実施形態を適用した家具たる枠構造体を示す斜視図。
【図２】同実施形態に係る枠構造体を示す概略底面図。
【図３】同枠構造体の要部を分解して示す拡大斜視図。
【図４】同要部を脚ベースの長手方向中央部で破断して示す縦断面図。
【図５】図２におけるａ−ａ線断面図。
【図６】同ｂ−ｂ線断面図。
【図７】同枠構造体を他の家具である机と共に配置した使用状態を示す斜視図。
【図８】同実施形態の変形例を適用した枠構造体を示す斜視図。
【符号の説明】
１…脚ベース（フレーム部材接続装置）
２、１２０…ベース本体
３…縦枠材取付部
４…下枠材取付部（横枠材取付部）
６…支柱（フレーム部材、縦枠材）
７…下枠材（フレーム部材、横枠材）
３１ａ…上面（支持面）
３３…突部（位置決め部）
４２ａ…内向面（支持面）
４３…突起部（位置決め部）
３５、４５、１３５、１４５…ボルト（引き寄せ手段、ねじ部材）
１００…コーナー部材（フレーム部材接続装置）
１１１…コーナー部材本体
１１１ａ…底面（支持面）
１１３…挿入部（位置決め部）
１１３ａ…内向面（支持面）
１１４…突起部（位置決め部）
１８０…上枠材（フレーム部材、横枠材）
２１、１２１…ベース要素
Ａ、Ａ’…枠構造体（家具）
【図１】
0004201501.tif 000002
【図２】
0004201501.tif 000003
【図３】
0004201501.tif 000004
【図４】
0004201501.tif 000005
【図５】
0004201501.tif 000006
【図６】
0004201501.tif 000007
【図７】
0004201501.tif 000008
【図８】
0004201501.tif 000009